(57)【要約】【課題】本発明の目的は、収集の自由度を向上し得る核医学診断装置を提供すること。【解決手段】被検体に投与された放射性同位元素から放射されるガンマ線を検出し、この検出器の出力に基づいて放射性同位元素の体内分布を画像化する核医学診断装置は、ガンマ線を直接的に電気信号に変換するための２次元配列された複数の半導体素子を有する第１の検出器１１−１と、第１の検出器を支持する第１の支持機構２３−１と、ガンマ線を直接的に電気信号に変換するための２次元配列された複数の半導体素子を有する第２の検出器１１−２と、第２の検出器を支持する第２の支持機構２３−２とを具備する。【選択図】図１２
2005062206.tif 000002
【特許請求の範囲】
【請求項１】
被検体に投与された放射性同位元素から放射されるガンマ線を検出し、この検出器の出力に基づいて前記放射性同位元素の体内分布を画像化する核医学診断装置において、
前記ガンマ線を直接的に電気信号に変換するための２次元配列された複数の半導体素子を有する第１の検出器と、
前記第１の検出器を支持する第１の支持機構と、
前記ガンマ線を直接的に電気信号に変換するための２次元配列された複数の半導体素子を有する第２の検出器と、
前記第２の検出器を支持する第２の支持機構とを具備することを特徴とする核医学診断装置。
【請求項２】
前記半導体素子は、ＣｄＺｎＴｅであることを特徴とする請求項１記載の核医学診断装置。
【請求項３】
前記第１の支持機構は、前記被検体の周囲を前記第１の検出器を回転する第１の回転機構と、前記第１の検出器の回転軸に沿って前記第１の検出器を移動する第１の回転軸移動機構と、前記回転軸から前記第１の検出器の中心に向かう半径軸に沿って前記第１の検出器を移動する第１の半径軸移動機構とを、前記第１の検出器の回転軸と前記半径軸とに直交する直交軸に沿って前記第１の検出器を移動する第１の直交軸移動機構とを有し、前記第２の支持機構は、前記被検体の周囲を前記第２の検出器を回転する第２の回転機構と、前記第２の検出器の回転軸に沿って前記第２の検出器を移動する第２の回転軸移動機構と、前記回転軸から前記第２の検出器の中心に向かう半径軸に沿って前記第２の検出器を移動する第２の半径軸移動機構とを、前記第２の検出器の回転軸と前記半径軸とに直交する直交軸に沿って前記第２の検出器を移動する第２の直交軸移動機構とを有することを特徴とする請求項１記載の核医学診断装置。
【請求項４】
前記第１の検出器と前記第２の検出器とを相互に９０゜の位置関係に保って前記被検体からＳＰＥＣＴに必要なデータの収集を行うことを特徴とする請求項３記載の核医学診断装置。
【請求項５】
前記第１の検出器と前記第２の検出器とが前記被検体を挟んで対向する位置関係に保って前記被検体からＳＰＥＣＴに必要なデータの収集を行うことを特徴とする請求項３記載の核医学診断装置。
【請求項６】
前記第１の検出器で前記被検体の第１の部位からのガンマ線を検出して前記第１の検出器の出力に基づいて第１の体内分布を生成し、前記第２の検出器で前記被検体の第２の部位からのガンマ線を検出して前記第２の検出器の出力に基づいて第２の体内分布を生成することを特徴とする請求項３記載の核医学診断装置。
【請求項７】
前記第１の検出器で前記被検体の第１の部位からＳＰＥＣＴに必要なデータの収集を行い、前記第２の検出器で前記被検体の第２の部位からＳＰＥＣＴに必要なデータの収集を行うことを特徴とする請求項３記載の核医学診断装置。
【請求項８】
前記第１、第２の検出器各々において前記複数の半導体素子は一辺が１５ｃｍ〜３０ｃｍの範囲内で他辺が２０ｃｍ〜５０ｃｍの範囲内の矩形に２次元配列されることを特徴とする請求項１記載の核医学診断装置。
【発明の詳細な説明】
【技術分野】
【０００１】
本発明は、被検体に投与された放射性同位元素から放射されるガンマ線を検出し、放射性同位元素の体内分布を画像化する核医学診断装置に関する。
【背景技術】
【０００２】
核医学診断装置は、シングルフォトン核種を用いて放射性同位元素の崩壊時の一個のガンマ線の検出を行い、この検出データに基づいて２次元的なガンマ線蓄積画像をえることを特徴としたシングルフォトンカメラと、ポジトロン核種を用いて陽電子が消滅する際に反対方向に一対のガンマ線を放出することを利用し、放出場所を特定することにより２次元的なガンマ線の蓄積画像を得ることを特徴としたボジトロンカメラとに分類される。
【０００３】
また、近年、複数の角度でガンマ線を検出し、それに基づいて断層像を再構成する断層イメージングの技術（ＥＣＴ(emission computed tomography)) が実用化されている。このＥＣＴは、シングルフォトンＥＣＴ（ＳＰＥＣＴ）と、ポジトロンＥＣＴ（ＰＥＴ）とに大別される。
【０００４】
従来のシンチレーションはアンガー型のカメラに代表されるようにガンマ線を光に与えるシンチレータ（ＮａＩの単結晶）の上にライトガイドを介し光電子増倍管を２次元状にちょう密に配列し、それぞれの出力信号よりガンマ線の発生場所を重み加算計算にて求めていた。このように光電変換素子として光電子増位管を使用しているために、検出器が極めて厚い楕造を有していること、ならびに光電子増倍管の最外周の部分には位置計算不能のデットスペースが生じてしまい有効視野の割には極めて面積の大きな検出器になってしなう。その周辺部や背面の鉛製シールドならびにコリメータまで入れると非常に大きな検出器になってしまいこの検出器を収集目的に応じた設定を行なうにしても自由度に制御が加わるとともに動作の実現手段が極めて機構的に難しく、かつ検出器が数百ｋｇと重いため、理想的な動作から機械的歪みに起因した画像劣化を生じることもあった。また有効視野端から検出器の物埋的端面までの距離が大きいこと、検出器が厚いことにより、心臓ＳＰＥＣＴ時に腕を大きく頭部側に上げてやる必要があり披検者に苦痛を与えたり頭部ＳＰＥＣＴで小脳が入らなかったりする問題点があった。
【０００５】
また、従来では、心臓のＳＰＥＣＴを行なう場合、非常に大きなアンガー型検出器との干渉を避けるために、被検体はデータ収集期間中、例えば１０分以上、その両腕を頭部側に大きく上げ続けておく必要があり、被検体にとっては大変苦痛なものであった。
【発明の開示】
【発明が解決しようとする課題】
【０００６】
本発明の目的は、収集の自由度を向上し得る核医学診断装置を提供することである。
【課題を解決するための手段】
【０００７】
本発明は、被検体に投与された放射性同位元素から放射されるガンマ線を検出し、この検出器の出力に基づいて前記放射性同位元素の体内分布を画像化する核医学診断装置において、前記ガンマ線を直接的に電気信号に変換するための２次元配列された複数の半導体素子を有する第１の検出器と、前記第１の検出器を支持する第１の支持機構と、前記ガンマ線を直接的に電気信号に変換するための２次元配列された複数の半導体素子を有する第２の検出器と、前記第２の検出器を支持する第２の支持機構とを具備する。
【発明の効果】
【０００８】
本発明によれば、検出器の小型軽量化が図られ、これにより自由度が向上できる。また、体軸方向に異なる２箇所の同時収集ができる。
【発明を実施するための最良の形態】
【０００９】
以下、本発明による核医学診断装置の一実施形態を図面を参照して説明する。なお、本発明の核医学診断装置としては、シングルフォトン核種を用いて放射性同位元素の崩壊時の一個のガンマ線の検出を行い、この検出データに基づいて２次元的なガンマ線蓄積画像を得るシングルフォトンカメラ（シンチレーションカメラ）、ボジトロン核種を用いて陽電子が消滅する際に反対方向に一対のガンマ線を放出することを利用し、放出場所を特定することにより２次元的なガンマ線の蓄積画像を得ることを特徴としたポジトロンカメラ、シングルフオトン核種からのガンマ線を被検体の周囲の複数の角度から検出し、それに基づいて断層像を再構成するシングルフォトンＥＣＴ（ＳＰＥＣＴ）、ボジトロン核種からのガンマ線を被検体の周囲の複数の角度から検出し、それに基づいて断層像を再構成するポジトロンＥＣＴ（ＰＥＴ）のいずれでもよい。ここでは、シングルフォトンカメラ（シンチレーションカメラ）とＳＰＥＣＴを兼用できるタイプを一例として説明する。
【００１０】
（第１の実施形態）図１に本実施形態による核医学診断装置のブロック図を示す。検出器１１は平行多孔型のコリメータ１３と、ガンマ線を直接的に電気信号に変換する複数の半導体素子が縦横に配列された半導体素子アレイ１５と、複数の半導体素子各々の出力を個々に増幅するためのプリアンプアレイ１７とを有している。
【００１１】
画像生成プロセッサ１９は、プリアンプアレイ１７の出力に基づいて、被検体に投与された放射性同位元素の体内分布をいわゆるスタティック画像として生成する。また、ＳＰＥＣＴ収集時には、画像生成プロセッサ１９は、プリアンプアレイ１７の出力に基づいて、被検体の断面に関する放射性同位元素の体内分布を断層像として再構成する。これら画像データはディスプレイ２１に表示される。
【００１２】
スタンド２３は検出器１１を支持する。スタンド走行機構２５は、可動部コントローラ３５の制御信号にしたがってスタンド２３を電動で走行させることができるように構成され、また可動部コントローラ３５にスタンド２３の位置をフィードバックするためにロータリエンコーダ等により実現され得る位置検出機能を有している。また、スタンド走行機構２５は、検出器公転機構２７は、可動部コントローラ３５の制御信号にしたがって、被検体の周囲に検出器１１を回転（公転）させることができるように構成され、また可動部コントローラ３５に検出器１１の公転角度をフィードバックするためにロータリエンコーダ等により実現され得る公転角度検出機能を有している。なお、説明の便宜上、検出器１１の検出面の中心点の回転（公転）中心を原点とし、公転の回転軸をＸ軸、原点から検出面の中心点を通過する公転の半径方向をＺ軸、ＸＺ軸に直交するようにＹ軸とした移動座標系を定義する。
【００１３】
検出器移動機構２９は、可動部コントローラ３５の制御信号にしたがつて、ＸＹＺ直交３軸各々に関して個別に比較的微小距離だけ検出器１１を平行移動させることができるように構成され、また可動部コントローラ３５に検出器１１のＸＹＺ直交３軸各々に関する位置をフィードバックするためにロータリエンコーダ等により実現され得る位置検出機能を有している。検出器自転機構３１は、可動部コントローラ３５の制御信号にしたがって、Ｚ軸に平行な回転軸に関して検出器１１を電動で回転（自転）させることができるように構成され、また可動部コントローラ３５に検出器１１の自転角度をフィードバックするためにロータリエンコーダ等により実現され得る自転角度検出機能を有している。
【００１４】
寝台３３は、被検体の体軸がＺ軸に一致又は略平行になるように、被検体を例えば仰向けの状態で支持する。可動部コントローラ３５は、コンソール３７を介して入力されたオペレータの命令にしたがって、スタンド走行機構２５、検出器公転機構２７、検出器移動機構２９、検出器自転機構３１を個別に制御する。また、可動部コントローラ３５は、全身収集やＳＰＥＣＴ収集時に必要とされるスタンド走行機構２５、検出器公転機構２７、検出器移動機構２９、検出器自転機構３１の相関的な動きを制御する。
【００１５】
図２に図１の検出器１１の外観を示す。半導体素子アレイ１５は、シンチレータト光電子増倍管とを組み合わせた従来の間接的な検出手法に比べてエネルギー分解能に優れる例えば外形寸法３ｍｍ×３ｍｍ×５ｍｍのＣｄＺｎＴｅ等の複数の半導体素子が、縦１５ｃｍ〜３０ｃｍ、横２０ｃｍ〜５０ｃｍの矩形に２次元的に配列されている。この矩形サイズは、検出器１１の視野（縦１５ｃｍ〜３０ｃｍ×横２０ｃｍ〜５０ｃｍ）内に、心臓や頭部が入り、且つ比較的高価な半導体素子の豊潤な使用を避ける最適な大きさとして決定されている。なお、図示しないが、側面及び背面からのガンマ線の入射に伴う誤検出を避けるために、半導体素子アレイ１５、プリアンプアレイ１７の側面及び背面にはガンマ線不透過の鉛等のシールド層が形成されている。
【００１６】
図３（ａ）に検出器１１や寝台３１やスタンド２３等を含む検出器システムの正面図を示し、同図（ｂ）に当該検出器システムの側面図を示す。スタンド２５は２本の支柱３９とスタンドベース４１とを有する。スタンド走行機構２５は、床面に施設された走行レール４５に、スタンドベース４１の底面に形成された凹部４３が移動可能に嵌め込まれた構造、走行駆動モータ、動力伝達系とを有する。検出器公転機構２７は、スタンド２５の支柱３９に固定された固定リング４７に回転リング４９が回転可能に設けられた構造と、駆動モータ５１と、駆動モータ５１の駆動軸に設けられた駆動ギア５３とこの駆動ギア５３と回転リング４９とに掛け渡されたタイミングベルト５５とを含む動力伝達系とを有する。
【００１７】
回転リング４９に固定された筒状部材５７には、検出器１１を支持する支持アーム５９がスライド可能に挿入され、この構造によりＺ軸に関して検出器１１が移動でき、つまり被検体に対して検出器１１が接近／離間できるようになっている（図４（ｂ）参照）。また、図４（ａ）に示すように、支持アーム５９の一端は検出器１１の背面に形成されたＸガイド溝６１、Ｙガイド溝６３にスライド可能かつ自転可能に嵌め込まれ、この構造によりＸＹ軸に関して検出器１１が移動でき、かつ自転できるようになっている。
【００１８】
なお、図示しないが、検出器１１と画像生成プロセッサ１９との間の電気的な接続はスリップリング機構により実現されている。次にスタティック画像の収集動作を説明する。上述したように検出器１１は、頭部や心臓が入る程度の比較的小視野で構成されている。したがって、この視野に入りきらない比較的大きな対象部位を収集する場合、収集手順に工夫が必要とされる。
【００１９】
図５（ａ）に胸部収集時の手順を示しており、この場合、可動コントローラ３５に制御により、検出器１１のＸ又はＹ方向の断続的な移動と、検出器１１によるガンマ線の１単位の検出動作とが同期して行われる。なお、検出器１１がガンマ線の検出を所定時間継続し、画像生成に必要なデータを収集する動作を””１単位の検出動作””と定義するものとする。まず、検出器１１を（Ａ）の位置で所定時間停止し、この間にガンマ線の検出を継続し、次に検出器１１を（Ｂ）の位置に移動しこの位置で所定時間停止し、この間にガンマ線の検出を継続することにより、視野の狭さを補償することができる。このように検出器１１を平行移動して１単位の検出動作を２回繰り返す収集手順を２ステップ動作として定義する。
【００２０】
また、図５（ｂ）に示すように、対象部位の形状に応じて、検出器１１を自転して収集することも可能である。また、図６に全身収集の手順を示している。全身収集は、１単位の検出動作が（１）〜（ｎ）で表した順番で繰り返され、つまりＸ方向（体軸方向）に関して、検出器１１を、１単位の検出動作に要する所定時間を周期として断続的に移動し、これに同期して検出器１１によるガンマ線の１単位の検出動作を繰り返す。また、被検体Ｐの幅が検出器１１の視野より長い胸部や胴体等の部分では、図５（ａ）に示した２ステップ動作が併用される。また、被検体Ｐの幅が検出器１１の視野より短い頭部及び足先端部分を含む部分では、２ステップ動作を併用しない。このような手順により効率よく全身収集を行うことができる。
【００２１】
なお、最接近軌道収集を考えた場合、従来のシンチレータと光電子増倍管とを組み合わせた大視野重量の検出器に比較して、本実施形態の小視野軽量の検出器１１は被検体Ｐに２５ｍｍ以上接近させることができる。このことにより分解能が向上する分だけコリメータ１３の感度が向上するように設計することにより、小視野でありながら、従来より単位面積当たり３倍前後のシステム感度が得られるよう設計を行うことができる。また本実施形態の半導休素子による検出器１１のエネルギー分解能が従来のシンチレータと光電子増倍管とを組み合わせた大視野の検出器より格段に優れている（ 99mＴｃを対象として、従来の約１０％のエネルギー分解能に対して、半導体素子では約５％である）ため、従来の大視野の検出器と同等の収集時間で同じカウント数の全身画像が高いコントラスト分解能で収集できる。
【００２２】
次にＳＰＥＣＴ収集動作を説明する。検出器１１が一定角度毎に断続的に公転し、これに同期して検出器１１による１単位の検出動作が繰り返されることにより、被検体のＳＰＥＣＴに必要なデータを収集することができる。このＳＰＥＣＴ収集でも同様に、収集手順に工夫が必要とされる。
【００２３】
図７に示すように、検出器１１の断続的な公転運動に同期して、公転運動が停止している間にＹ方向に関する検出器１１の往復運動（２ステップ動作）を行うことにより、検出器１１の小視野を補償することができる。
【００２４】
図８（ａ）に１周目のＳＰＥＣＴ収集時の検出器１１のＹ方向の位置を示し、図８（ｂ）に２周目のＳＰＥＣＴ収集時の検出器１１のＹ方向の位置を示している。検出器１１の小視野を補償するために、少なくとも２周のＳＰＥＣＴ収集を行うようにしてもよい。この場合、１周目と２周目とで検出器１１の視野が重複しないように、１周目と２周目とでＹ方向の位置を相違させる。この図８の方法は、図７に比べて、動作がシンプルであり、また検出器１１をＹ方向に移動させる回数が少なく、この移動に要する時間分だけ収集時間を短縮することができる。断続的な公転運動に対する収集の他、連続的な公転運動に対しても対応することができる。
【００２５】
図９に公転中心と心臓等の対象部位の中心とがずれている場合の収集手順を示している。このような場合、検出器１１の公転運動の各角度で、対象部位が視野に入るように、公転運動の角度毎に検出器１１をＹ方向に適当な距離だけ移動して検出器１１の位置を調整する。
【００２６】
もちろん、例えば図３のシステムにおいて検出器１１に例えば縦２５ｃｍ、横５０ｃｍ程度の有効視野を有するものを採用することによりＹ方向の動作をすることなくＳＰＥＣＴ像が得られる他、ホールボディー収集も従来のようなシングルスキャンで得ることができるのは言うまでもない。
【００２７】
なお、本実施形態は次のように変形することが可能である。図１０（ａ），（ｂ）に示すように、回転リング４９を倒れ防止従動輪６１で回転可能に支持し、駆動ギア５３で回転リング４９を直接的に回転駆動するような構成であってもよい。
【００２８】
また、図１１に示すように、検出器システムをスタンドベース４１から載せることができるモービル台車６３は、病院内で検査室や救急医療室へ移動することを可能にするものであり、台車本体６５と把手６７とキャスタ−６９とを有する。キャスタ−６９は、移動時に下げ、設置時には上げて台車本体６５を床面に固定することができるように、台車本体６５の底部に上下動可能に設けられている。
【００２９】
また、図１２、図１３に示すように、図１〜図３に示したと同様の構成の検出器システムを２系統を設けた２検出器型の核医学診断装置として構成してもよい。第１の検出器システム１０１-1は図１〜図３に示したと同様の第１の構成要素１１-1〜５９-1を有し、第２の検出器システム１０１-2も図１〜図３に示したと同様の第２の構成要素１１-2〜５９-2を有する。第２の検出器システム１０１-2は、１８０゜反転され、第１の検出器システム１０１-1と共通の走行レール４５に設置される。
【００３０】
このように検出器システムを２系統設けることにより、次のような収集動作を実現する。第１の検出器システム１０１-1の第１の検出器１１-1と第２の検出器ンステム１０１-2の第２の検出器１１-2との位置関係を９０゜に保った状態で、被検体Ｐの周囲を公転することにより、両者で共同して被検体Ｐのいわゆる９０゜ＳＰＥＣＴ収集を行うことができる。また、９０°以外の角度での収集も問題なく行うことができる。また、第１の検出器１１-1と第２の検出器１１-2とが被検体Ｐを挟んで対向する位置関係を保った状態で、被検体Ｐの周囲を公転し、両者で共同して被検体Ｐ（７）ＳＰＥＣＴ収集を行うことにより、約半周の公転によりＳＰＥＣＴに必要なデータの収集を完了することができる。
【００３１】
また、図１４に示すように、第１の検出器１１-1で被検体Ｐの第１の部位（例えば心臓）からのガンマ線を検出して、第１の検出器１１-1の出力に基づいて画像生成プロセッサ１９で第１の体内分布を生成し、第２の検出器１１-2で被検体Ｐの第２の部位（例えば頭部）からのガンマ線を検出して第２の検出器１１-2の出力に基づいて画像生成プロセッサ１９第２の体内分布を生成し、このように２か所同時にスタティック収集を行うことができる。同様に、２か所同時にＳＰＥＣＴ収集を行うことができる。また、第１の検出器１１-1と第２の検出器１１-2とでそれぞれの収集条件を相違させて収集することもできる。
【００３２】
なお、図１４に示すように、被検体Ｐが腕を置くためのアームレスト６３を、被検体Ｐの体軸に対して交差する向き（例えば体軸に対して略９０°の角度）に腕を安定的に支持することができるように寝台３３に設け、従来できなかった心臓と頭部の同時収集時の被検体Ｐの負担を軽減することを達成する。また、心臓収集のみを考えても、従来は、大型のアンガー型検出器と腕とが干渉するので、腕を大きく上に上げないと、収集が不可であったが、非常に楽な姿勢で収集を行うことができる。
【００３３】
以上のように本実施形態は半導休素子による小視野の検出器を用いて、以下のような効果を獲得することができる。
【００３４】
（１）半導体検出器のシステム感度が従来のシンチレータと光電子増倍管を組み合わせた検出器に比べて著しく高いので、心臓や頭部のＳＰＥＣＴの収集時間が従来の１／２以下で行なえ、しかもエネルギー分解能が良く、関心ウインド内の散乱線の混入率が小さいため画像のコントラスト分解能が高い。
【００３５】
（２）全身ＳＰＥＣＴ、全身収集、スタティック収集など従来可能であった収集を同等以上の収集時間で可能、しかも画像のコントラスト分解能が高い。
【００３６】
（３）２系統の検出器システムを考えた場合、従来は不可能であった心臓と頭部などの体軸方向に異なる２か所のＳＰＥＣＴあるいはスッタティックの同時収集が可能で、しかも独立条件で収集することができる。
【００３７】
（４）心臓の９０ＳＰＥＣＴが簡単にしかも１／２以下の時間で収集可能である。
【００３８】
（５）１検出器システムから２検出器システムへのアップグレードが容易に実現できる。
【００３９】
（６）半導体検出器の有効視野端からシールド端まで１cm以下と短いため、机にすわった状態でマンモシンチが可能である。
【００４０】
（７）モービル台車で別の検査室に移動可能である。
【００４１】
（８）２検出器システムでトランスミッションＣＴを簡単にしかも高画質で実現できる。
【００４２】
（９）全体回転リングの開口径が大きく設計でき、しかも全体的に威圧惑がないため被検者の安心感が大きい。
【００４３】
（１０）コリメータの重量が１０ｋｇ〜２０ｋｇ前後と軽量化できるので、手で装着可能である。
【００４４】
（１１）２系統の検出器システムで、半導体検出器のカウント処理能力が５００ｋｃｐｓ以上と優れている。ＦＤＧ−ＰＥＴのコインデンス検出にも使用可能である。
【００４５】
（第２の実施形態）図１５に第２の実施形態による核医学診断装置の主要部の構成を示す。第２の実施形態による核医学診断装置の構成は次の点で第１の実施形態と相違する。第２の実施形態による核医学診断装置は、アンガー型検出器が採用されず、アンガー型検出器より小形で薄く軽量の２つの半導体検出器１２２1 ，１２２2 が、スタンド１３３からアーム１３９1 ，１３９2 を介して被検体Ｐを挟んで対向した状態で支持される構成が採用される。このような半導体検出器１２２1 ，１２２2 では、その薄さから、アンガー型検出器を使った心臓撮影時に要求される被検体Ｐは両腕を頭部側に大きく上げた負担の大きい姿勢をとる必要はなく、例えば胴体（体軸）に対して４５°以上、最大でも９０°までの角度θで両腕を開いた比較的楽な姿勢を可能にする。
【００４６】
この姿勢をさらに楽にするために、アームレスト１４０が用いられる。アームレスト１４０は、被検体Ｐが両腕各々と、体軸との開き角度θを少なくとも４５°以上の特定の角度に制限することができるように構成され、例えばアクリル材あるいはカーボン材で弓型に成型される。アームレスト１４０を天板１３７の任意の位置に動かないように装着し、また不使用時には天板３７から取り外すことができるように、アームレスト１４０の中央部分にはマジックファスナー（登録商標）１４１が設けられている。
【００４７】
アームレスト１４０の腕を置く部分１４２は、上方が開いた断面略Ｕ字形（又は断面略コ字形又は断面略Ｌ字形）の形状に形成され、腕がアームレスト１４０から外れたり、動いたり、腕が閉じてしまうことを防止し、また、特に検出器１２２1 ，１２２2 が被検体Ｐの周囲を回転するＳＰＥＣＴ撮影時に腕と検出器１２２1 ，１２２2 との干渉を確実に防止できるようになっている。
【００４８】
従来ではアンガー型検出器の厚み、および有効視野端からシールドの外側端面まで（デッドスペース）の距離が５ｃｍ以上と大きいことにより、両腕を大きく頭部側に上げ、アンガー型検出器を可能な限り頭部側によせる必要性があったが、半導体検出器１２２1 ，１２２2 では非常に薄型に設計することが可能でコリメータ部を含めても５ｃｍ〜１０ｃｍ程度の厚さで設計できるばかりか、各半導体素子でそのまま位置の検出が可能なため、半導体素子の２次元状に配列してある面はすべて有効視野として使用可能で有効視野端からシールド外側端までの距離は実質的にほぼシールドの厚さは約５ｍｍ〜１５ｍｍ程度と従来より大幅に小型化でき、したがって上述のようならきうな姿勢が可能になる。
【００４９】
このように、本実施形態のアームレスト１４０を、半導体検出器１２２1 ，１２２2 と組合わせて用いることにより、被検体Ｐの苦痛を大幅に軽減し、よって収集期間中に被検体Ｐが体を動かすことによる画像が劣化する可能性も少なくなる。
【００５０】
なお、このアームレストは図１６に示すように、天板に装着する代わりに、腕を載せるレスト本体１４４1 ，１４４2 をスタンド１４３1 ，１４３2 で支持するような構成にしてもよい。
【００５１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５２】
【図１】本発明の第１の実施形態による核医学診断装置のブロック図。
【図２】図１の検出器の外観図。
【図３】本実施形態の検出器システムの正面図と側面図。
【図４】図１の検出器移動機構を示す図。
【図５】本実施形態による胸部、頭部、心臓の収集手順の説明図。
【図６】本実施形態による全身収集手順の説明図。
【図７】本実施形態によるＳＰＥＣＴ収集手順の説明図。
【図８】本実施形態による他のＳＰＥＣＴ収集手順の説明図。
【図９】本実施形態による公転中心と心臓等の対象部位の中心とがずれている場合のＳＰＥＣＴ収集手順の説明図。
【図１０】図１の検出器公転機構の他の構成例を示す図。
【図１１】検出器システムを移動するためのモービル台車を示す図。
【図１２】本実施形態の変形列としての２系統の検出器システムを有する核医学診断装置のブロック図。
【図１３】図１２のシステムの側面図。
【図１４】図１２のシステムによる２か所同時収集の様子を示す図。
【図１５】第２の実施形態によるアームレストを示す図。
【図１６】図１５の変形例を示す図。
【符号の説明】
【００５３】
１１…検出器、１３…コリメータ、１５…半導体素子アレイ、１７…プリアンプアレイ、１９…画像生成プロセッサ、２１…ディスプレイ、２３…スタンド、２５…スタンド走行機楕、２７…検出器公転機構、２９…検出器移動機構、３１…検出器自転機構、３３…寝台、３５…可動部コントローラ、３７…コンソール。
【図１】
2005062206.tif 000003
【図２】
2005062206.tif 000004
【図３】
2005062206.tif 000005
【図４】
2005062206.tif 000006
【図５】
2005062206.tif 000007
【図６】
2005062206.tif 000008
【図７】
2005062206.tif 000009
【図８】
2005062206.tif 000010
【図９】
2005062206.tif 000011
【図１０】
2005062206.tif 000012
【図１１】
2005062206.tif 000013
【図１２】
2005062206.tif 000014
【図１３】
2005062206.tif 000015
【図１４】
2005062206.tif 000016
【図１５】
2005062206.tif 000017
【図１６】
2005062206.tif 000018